(57)【要約】【課題】作業者の視界が制限された環境下においても、制御盤の設置作業を容易に行うことができる制御盤構造を提供する。【解決手段】制御盤構造１００は、制御部９が格納された制御盤１０と、制御盤１０を支持する支持部材６５と、制御盤１０と支持部材６５との相対位置を決定する位置決め構造１０１とを備える。支持部材６５は、制御盤１０が載置される架台６７を備えている。【選択図】図４
2020061876.tif 000002
【特許請求の範囲】
【請求項１】
制御部が格納された制御盤と、
前記制御盤を支持する支持部材と、
前記制御盤と前記支持部材との相対位置を決定する位置決め構造とを備え、
前記支持部材は、前記制御盤が載置される架台を備えていることを特徴とする制御盤構造。
【請求項２】
前記位置決め構造は、
前記制御盤に形成された制御盤側嵌合部と、
前記架台に形成され、かつ前記制御盤側嵌合部に嵌合する架台側嵌合部とを備えていることを特徴とする請求項１に記載の制御盤構造。
【請求項３】
前記架台側嵌合部は、前記制御盤が前記架台上に載置されたとき、前記制御盤の底面部の中心を通る中心線に対して回転対称な形状を有しており、
前記制御盤側嵌合部は、前記架台側嵌合部に対応する形状を有していることを特徴とする請求項２に記載の制御盤構造。
【請求項４】
前記制御盤は、前記制御盤の底面部に形成された配線孔を有しており、
前記配線孔は、前記制御盤が前記架台上に載置されたとき、前記架台の外側に位置することを特徴とする請求項１乃至３のいずれか一項に記載の制御盤構造。
【請求項５】
前記支持部材は、前記架台と垂直に延びる仕切り板をさらに備えており、
前記位置決め構造は、
前記制御盤に形成された制御盤側位置合わせ部と、
前記仕切り板に形成された仕切り板側位置合わせ部とを備えていることを特徴とする請求項１乃至４のいずれか一項に記載の制御盤構造。
【請求項６】
前記仕切り板の高さは、前記制御盤の高さと同じか、または前記制御盤の高さよりも低いことを特徴とする請求項５に記載の制御盤構造。
【請求項７】
ポンプと、
前記ポンプを駆動する電動機組立体と、
制御盤構造とを備え、
前記制御盤構造は、
前記ポンプを制御する制御部が格納された制御盤と、
前記制御盤を支持する支持部材と、
前記制御盤と前記支持部材との相対位置を決定する位置決め構造とを備えており、
前記支持部材は、前記制御盤が載置される架台を備えていることを特徴とする給水装置。
【請求項８】
前記位置決め構造は、
前記制御盤に形成された制御盤側嵌合部と、
前記架台に形成され、かつ前記制御盤側嵌合部に嵌合する架台側嵌合部とを備えていることを特徴とする請求項７に記載の給水装置。
【請求項９】
前記架台側嵌合部は、前記制御盤が前記架台上に載置されたとき、前記制御盤の底面部の中心を通る中心線に対して回転対称な形状を有しており、
前記制御盤側嵌合部は、前記架台側嵌合部に対応する形状を有していることを特徴とする請求項８に記載の給水装置。
【請求項１０】
前記制御盤は、前記制御盤の底面部に形成された配線孔を有しており、
前記配線孔は、前記制御盤が前記架台上に載置されたとき、前記架台の外側に位置することを特徴とする請求項７乃至９のいずれか一項に記載の給水装置。
【請求項１１】
前記支持部材は、前記架台と垂直に延びる仕切り板をさらに備えており、
前記位置決め構造は、
前記制御盤に形成された制御盤側位置合わせ部と、
前記仕切り板に形成された仕切り板側位置合わせ部とを備えていることを特徴とする請求項７乃至１０のいずれか一項に記載の給水装置。
【請求項１２】
前記仕切り板の高さは、前記制御盤の高さと同じか、または前記制御盤の高さよりも低いことを特徴とする請求項１１に記載の給水装置。
【発明の詳細な説明】
【技術分野】
【０００１】
本発明は、制御盤構造および該制御盤構造を備えた給水装置に関するものである。
【背景技術】
【０００２】
インバータと制御基板とを格納するポンプ運転用制御盤が知られている（例えば、特許文献１参照）。
【先行技術文献】
【特許文献】
【０００３】
【特許文献１】特開平８−２８４８３０号公報
【特許文献２】特開平１０−７３０８３号公報
【特許文献３】特開２００６−１６１６１３号公報
【発明の概要】
【発明が解決しようとする課題】
【０００４】
給水装置は、建物の壁沿い、地下空間、または受水槽の下や横の空間などの設置状況下で用いられることがある。したがって、給水装置の設置スペースやポンプの向きなどの条件は様々であり、給水装置は作業者の視界が制限された環境下に配置されることが多い。
【０００５】
作業者は、その視界が制限された環境下において、制御盤の設置作業を行う場合がある。この場合、制御盤の設置作業の効率化を図ることが望ましい。
【０００６】
そこで、本発明は、作業者の視界が制限された環境下においても、制御盤の設置作業を容易に行うことができる制御盤構造を提供することを目的とする。本発明は、該制御盤構造を備えた給水装置を提供することを目的とする。
【課題を解決するための手段】
【０００７】
一態様は、制御部が格納された制御盤と、前記制御盤を支持する支持部材と、前記制御盤と前記支持部材との相対位置を決定する位置決め構造とを備え、前記支持部材は、前記制御盤が載置される架台を備えていることを特徴とする制御盤構造である。
【０００８】
一態様は、前記位置決め構造は、前記制御盤に形成された制御盤側嵌合部と、前記架台に形成され、かつ前記制御盤側嵌合部に嵌合する架台側嵌合部とを備えていることを特徴とする。
一態様は、前記架台側嵌合部は、前記制御盤が前記架台上に載置されたとき、前記制御盤の底面部の中心を通る中心線に対して回転対称な形状を有しており、前記制御盤側嵌合部は、前記架台側嵌合部に対応する形状を有していることを特徴とする。
一態様は、前記制御盤は、前記制御盤の底面部に形成された配線孔を有しており、前記配線孔は、前記制御盤が前記架台上に載置されたとき、前記架台の外側に位置することを特徴とする。
【０００９】
一態様は、前記支持部材は、前記架台と垂直に延びる仕切り板をさらに備えており、前記位置決め構造は、前記制御盤に形成された制御盤側位置合わせ部と、前記仕切り板に形成された仕切り板側位置合わせ部とを備えていることを特徴とする。
一態様は、前記仕切り板の高さは、前記制御盤の高さと同じか、または前記制御盤の高さよりも低いことを特徴とする。
【００１０】
一態様は、ポンプと、前記ポンプを駆動する電動機組立体と、制御盤構造とを備え、前記制御盤構造は、前記ポンプを制御する制御部が格納された制御盤と、前記制御盤を支持する支持部材と、前記制御盤と前記支持部材との相対位置を決定する位置決め構造とを備えており、前記支持部材は、前記制御盤が載置される架台を備えていることを特徴とする給水装置である。
【００１１】
一態様は、前記位置決め構造は、前記制御盤に形成された制御盤側嵌合部と、前記架台に形成され、かつ前記制御盤側嵌合部に嵌合する架台側嵌合部とを備えていることを特徴とする。
一態様は、前記架台側嵌合部は、前記制御盤が前記架台上に載置されたとき、前記制御盤の底面部の中心を通る中心線に対して回転対称な形状を有しており、前記制御盤側嵌合部は、前記架台側嵌合部に対応する形状を有していることを特徴とする。
一態様は、前記制御盤は、前記制御盤の底面部に形成された配線孔を有しており、前記配線孔は、前記制御盤が前記架台上に載置されたとき、前記架台の外側に位置することを特徴とする。
【００１２】
一態様は、前記支持部材は、前記架台と垂直に延びる仕切り板をさらに備えており、前記位置決め構造は、前記制御盤に形成された制御盤側位置合わせ部と、前記仕切り板に形成された仕切り板側位置合わせ部とを備えていることを特徴とする。
一態様は、前記仕切り板の高さは、前記制御盤の高さと同じか、または前記制御盤の高さよりも低いことを特徴とする。
【発明の効果】
【００１３】
本発明によれば、制御盤構造は位置決め構造を備えているため、作業者は、その視界が制限された環境下においても、制御盤の設置作業を容易に行うことができる。結果として、制御盤の設置作業の効率化を図ることができる。
【図面の簡単な説明】
【００１４】
【図１】給水装置の一実施形態の平面図である。
【図２】図１に示す給水装置の側面図である。
【図３】モータおよびインバータを含む電動機組立体を示す拡大断面図である。
【図４】制御盤構造を示す斜視図である。
【図５】図５（ａ）は架台の平面図であり、図５（ｂ）は底面部の平面図であり、図５（ｃ）は制御盤が架台上に載置されたときにおける制御盤の底面部の平面図である。
【図６】図６（ａ）は図５（ａ）のＡ−Ａ線断面図であり、図６（ｂ）は図５（ｂ）のＢ−Ｂ線断面図であり、図６（ｃ）は図５（ｃ）のＣ−Ｃ線断面図である。
【図７】図７（ａ）は架台側嵌合部の他の実施形態を示す図であり、図７（ｂ）は制御盤側嵌合部の他の実施形態を示す図であり、図７（ｃ）は図７（ａ）に示す架台側嵌合部と図７（ｂ）に示す制御盤側嵌合部との重ね合わせを示す図である。
【図８】図８（ａ）は架台側嵌合部のさらに他の実施形態を示す図であり、図８（ｂ）は制御盤側嵌合部のさらに他の実施形態を示す図であり、図８（ｃ）は図８（ａ）に示す架台側嵌合部と図８（ｂ）に示す制御盤側嵌合部との重ね合わせを示す図である。
【図９】図９（ａ）は架台側嵌合部のさらに他の実施形態を示す図であり、図９（ｂ）は制御盤側嵌合部のさらに他の実施形態を示す図であり、図９（ｃ）は図９（ａ）に示す架台側嵌合部と図９（ｂ）に示す制御盤側嵌合部との重ね合わせを示す図である。
【図１０】図１０（ａ）は架台側嵌合部のさらに他の実施形態を示す図であり、図１０（ｂ）は制御盤側嵌合部のさらに他の実施形態を示す図であり、図１０（ｃ）は図１０（ａ）に示す架台側嵌合部と図１０（ｂ）に示す制御盤側嵌合部との重ね合わせを示す図である。
【図１１】図１１（ａ）は架台側嵌合部のさらに他の実施形態を示す図であり、図１１（ｂ）は制御盤側嵌合部のさらに他の実施形態を示す図であり、図１１（ｃ）は図１１（ａ）に示す架台側嵌合部と図１１（ｂ）に示す制御盤側嵌合部との重ね合わせを示す図である。
【図１２】図１２（ａ）は架台側嵌合部のさらに他の実施形態を示す図であり、図１２（ｂ）は制御盤側嵌合部のさらに他の実施形態を示す図であり、図１２（ｃ）は図１２（ａ）に示す架台側嵌合部と図１２（ｂ）に示す制御盤側嵌合部との重ね合わせを示す図である。
【図１３】図１３（ａ）は架台側嵌合部のさらに他の実施形態を示す図であり、図１３（ｂ）は制御盤側嵌合部のさらに他の実施形態を示す図であり、図１３（ｃ）は図１３（ａ）に示す架台側嵌合部と図１３（ｂ）に示す制御盤側嵌合部との重ね合わせを示す図である。
【図１４】図１４（ａ）は架台側嵌合部のさらに他の実施形態を示す図であり、図１４（ｂ）は制御盤側嵌合部のさらに他の実施形態を示す図であり、図１４（ｃ）は図１４（ａ）に示す架台側嵌合部と図１４（ｂ）に示す制御盤側嵌合部との重ね合わせを示す図である。
【図１５】図１５（ａ）は架台側嵌合部のさらに他の実施形態を示す図であり、図１５（ｂ）は制御盤側嵌合部のさらに他の実施形態を示す図であり、図１５（ｃ）は図１５（ａ）に示す架台側嵌合部と図１５（ｂ）に示す制御盤側嵌合部との重ね合わせを示す図である。
【図１６】図１６（ａ）は架台側嵌合部のさらに他の実施形態を示す図であり、図１６（ｂ）は制御盤側嵌合部のさらに他の実施形態を示す図であり、図１６（ｃ）は図１６（ａ）に示す架台側嵌合部と図１６（ｂ）に示す制御盤側嵌合部との重ね合わせを示す図である。
【図１７】図１７（ａ）は架台側嵌合部のさらに他の実施形態を示す図であり、図１７（ｂ）は制御盤側嵌合部のさらに他の実施形態を示す図であり、図１７（ｃ）は図１７（ａ）に示す架台側嵌合部と図１７（ｂ）に示す制御盤側嵌合部との重ね合わせを示す図である。
【図１８】図１８（ａ）は架台側嵌合部のさらに他の実施形態を示す図であり、図１８（ｂ）は制御盤側嵌合部のさらに他の実施形態を示す図であり、図１８（ｃ）は図１８（ａ）に示す架台側嵌合部と図１８（ｂ）に示す制御盤側嵌合部との重ね合わせを示す図である。
【図１９】給水装置の他の実施形態を示す平面図である。
【図２０】図１９に示す給水装置を示す正面図である。
【図２１】位置決め構造の他の実施形態を示す図である。
【図２２】制御盤側位置合わせ部の他の実施形態を示す図である。
【図２３】仕切り板の他の実施形態を示す図である。
【図２４】制御盤側位置合わせ部および仕切り板側位置合わせ部の他の実施形態を示す図である。
【図２５】図１９および図２０に示す実施形態に係る架台に設けられた架台側嵌合部の一例を示す図である。
【図２６】図１９および図２０に示す実施形態で説明した架台に設けられた架台側嵌合部の他の例を示す図である。
【発明を実施するための形態】
【００１５】
以下、本発明の実施形態について図面を参照して説明する。なお、以下で説明する図面において、同一又は相当する構成要素には、同一の符号を付して重複した説明を省略する。以下で説明する複数の実施形態において、特に説明しない一実施形態の構成は、他の実施形態と同じであるので、その重複する説明を省略する。
【００１６】
図１は、給水装置１の一実施形態の平面図である。図２は、図１に示す給水装置１の側面図である。図１および図２に示すように、給水装置１は、ポンプ２と、ポンプ２を駆動するモータ３と、内部にモータ３が配置されたモータケーシング４と、モータ３の可変速手段であるインバータ５と、内部にインバータ５が配置され、かつモータケーシング４に着脱可能に取り付けられたインバータケース６と、ポンプ２を制御する制御部９が格納された制御盤１０と、モータ３によって回転される駆動軸１１の軸線方向に沿ってインバータケース６をモータケーシング４に取り付け、かつ外部からアクセス可能な位置に配置された取り付け構造１５とを備えている。
【００１７】
本実施形態では、ポンプ２は、単一の駆動軸１１をモータ３とポンプ２とが共有する直動式の横軸形ポンプである。ポンプ２は、駆動軸１１の端部に固定された羽根車２０と、羽根車２０を収容するポンプケーシング２１とを備えている。駆動軸１１は、モータ３によって回転され、羽根車２０はポンプケーシング２１内で駆動軸１１と一体に回転する。モータケーシング４はポンプケーシング２１に固定されている。ポンプケーシング２１の吸込口２１ａには、吸込み配管２２が接続されており、ポンプケーシング２１の吐出口２１ｂには、吐出し配管２３が接続されている。
【００１８】
羽根車２０が回転すると、液体は、吸込み配管２２を通じて、ポンプケーシング２１の内部に吸い込まれる。液体には、羽根車２０の回転により速度エネルギーが付与され、さらに、液体がポンプケーシング２１内のボリュート室を通ることによって速度エネルギーが圧力エネルギーに変換され、液体が昇圧される。昇圧された液体は、吐出し配管２３を通じて外部に移送される。
【００１９】
制御盤１０には、制御部９（制御基板９）が収められている。制御基板９は制御盤１０の側面と対向して配置されている。外部から制御基板９にアクセスできるように、制御盤１０の制御基板９と対向する側面部１０ｓが開閉できる。制御基板９は、吐出圧力や流入圧力などを入力する入出力部、インバータ５の通信と接続される通信部、各種のプログラムを記憶したメモリ、演算制御動作を行うＣＰＵ等を備え、通信を介してポンプ２の発停や回転周波数、インバータ５のトリップ等の情報の授受が行われる。制御基板９は、メモリに記憶された制御プログラムを実行して、運転パネル１２で設定された条件や各種センサからの信号に基づいて、各ポンプ２の発停（運転台数）および運転周波数を決定し、インバータ５にそれらを送信してポンプ２の回転周波数制御を行う。また、制御基板９は、各種センサからの信号やインバータ５からのトリップ信号により、ポンプ２の運転を停止する、あるいは他のポンプ２に運転を切り替えるなどの制御を行う。
【００２０】
図３は、モータ３およびインバータ５を含む電動機組立体３０を示す拡大断面図である。図３では、ポンプ２の図示は省略されている。以下、本明細書において、モータ３、モータケーシング４、インバータ５、およびインバータケース６を少なくとも含む構成要素を電動機組立体３０と呼ぶことがある。特に説明しない本実施形態の構成は、上述した実施形態と同じであるので、その重複する説明を省略する。
【００２１】
電動機組立体３０は、インバータ５が内蔵された一体型構造を有する機械装置である。電動機組立体３０は、駆動軸１１と、モータ３と、モータケーシング４と、インバータ５と、インバータケース６とを備えている。モータ３は、駆動軸１１を回転させる回転子（ロータ）３１および固定子（ステータ）３２を備える回転要素である。回転子３１は駆動軸１１に固定されている。固定子３２は、回転子３１を囲んで、外部（図示しない）からの電力を巻線（コイル）３２ｂが受けて回転磁界を形成する。固定子３２は、ステータコア３２ａと、ステータコア３２ａに巻かれた複数の巻線３２ｂとを備えている。回転子３１は、回転子３１と固定子３２との間に形成される回転磁界によって回転し、回転子３１が固定された駆動軸１１は回転子３１とともに回転する。
【００２２】
図３において、モータ３は模式的に描かれている。モータ３は、例えば、ロータに永久磁石を用いた永久磁石型モータである。しかしながら、モータ３は、永久磁石型モータに限定されず、誘導モータやＳＲモータなど、様々な種類のモータであってもよい。
【００２３】
モータケーシング４は、固定子３２が固定された筒状のモータフレーム４０と、モータフレーム４０の一方の開口端を閉じ、かつ駆動軸１１が貫通する貫通孔４１が形成されたエンドカバー４２と、モータフレーム４０の他方の開口端を閉じるモータ側板４３とを備えている。エンドカバー４２およびモータ側板４３は、モータ３を挟んで互いに対向している。駆動軸１１は、エンドカバー４２の軸受支持部４４に支持された軸受４５およびモータ側板４３の軸受支持部４６に支持された軸受４７によって回転自在に支持されている。
【００２４】
インバータ５はモータ３の動作（回転速度）を制御する。インバータケース６は、駆動軸１１の軸線ＣＬ方向に沿ってモータケーシング４に直列的に配置されている。モータケーシング４およびインバータケース６は駆動軸１１と同心状に配置されている。本実施形態では、モータケーシング４およびインバータケース６は、駆動軸１１の軸線ＣＬ方向に直列的に配置されているため、電動機組立体３０はコンパクトな構造を有することができる。
【００２５】
インバータケース６は、インバータ５を取り囲むインバータフレーム５０と、インバータフレーム５０の開口端を閉じるカバー部材５１とを備えている。インバータフレーム５０のカバー部材５１側の面およびカバー部材５１のインバータフレーム５０側の面は、それぞれ嵌め合い構造を有しており、これらインバータフレーム５０およびカバー部材５１は、嵌め合いによって互いに接続されている。同様に、インバータフレーム５０のモータ側板４３側の面およびモータ側板４３のインバータフレーム５０側の面は、それぞれ嵌め合い構造を有しており、これらインバータフレーム５０およびモータ側板４３は、嵌め合いによって互いに接続されている。
【００２６】
モータ側板４３はインバータケース６に隣接している。インバータ５は、インバータケース６の、モータ側板４３と対向する面（すなわち、カバー部材５１）に取り付けられている。このような配置により、インバータ５は発熱体であるモータ３から発せられた熱の影響を受けにくい。結果として、インバータ５の冷却効率は、インバータ５をモータ側板４３に取り付けた場合の冷却効率よりも高い。
【００２７】
本実施形態では、取り付け構造１５は、インバータケース６をモータケーシング４に着脱可能に取り付ける取り付け部材であり、インバータケース６の一構成要素である。以下、取り付け構造１５を取り付け部材１５と呼ぶことがある。本実施形態では、取り付け部材１５は、軸線ＣＬ方向と平行に延びる通しボルトである。図３では、２つの取り付け部材１５が描かれているが、取り付け部材１５の数は本実施形態には限定されない。３つ以上の取り付け部材１５が設けられてもよい。複数の取り付け部材１５は、インバータケース６の周方向に沿って等間隔に配置されている。
【００２８】
モータフレーム４０は取り付け部材１５が挿入可能な大きさを有する取り付け孔４０ａを有しており、モータ側板４３は取り付け部材１５が挿入可能な大きさを有する貫通孔４３ａを有しており、カバー部材５１は取り付け部材１５が挿入可能な大きさを有する貫通孔５１ａを有している。
【００２９】
取り付け部材１５は貫通孔５１ａ、貫通孔４３ａ、および取り付け孔４０ａに挿入される。この状態で、取り付け部材１５は、その頭部でカバー部材５１をインバータフレーム５０に押し付けることにより、カバー部材５１、インバータフレーム５０、モータ側板４３、およびモータフレーム４０を締結することができる。
【００３０】
図１および図２に戻り、給水装置１の構成要素の配置について説明する。図１および図２に示すように、給水装置１は、ポンプ２、モータケーシング４、および制御盤１０が載置されたベース６０をさらに備えている。ポンプケーシング２１はベース６０に固定されたポンプ台６１（図２参照）に支持されており、モータケーシング４はベース６０に固定されたモータ台６２（図２参照）に支持されている。
【００３１】
制御盤１０は、取り付け部材１５が露出可能なように、ポンプ２およびモータケーシング４の少なくとも１つの周囲に配置されている。言い換えれば、制御盤１０は、取り付け部材１５の周囲には配置されておらず、取り付け部材１５から離間している。取り付け部材１５は、作業者が外部から取り付け部材１５を視認することができるように配置されている。
【００３２】
一実施形態では、制御盤１０は、ポンプ２およびモータケーシング４の少なくとも１つの上方に配置されていてもよい。このような配置により、制御盤１０を載置するためのスペースをベース６０に設ける必要はないため、ベース６０のサイズを小さくすることができる。結果として、給水装置１の全体のサイズを小さくすることができる。
【００３３】
本実施形態では、制御盤１０は、モータケーシング４の上方まで延びる支持部材６５に支持されており、モータケーシング４の上方に配置されている。制御盤１０には、運転パネル１２が設けられており、この運転パネル１２は、作業者による操作性を向上させるために、モータケーシング４よりも高い位置に配置されている。
【００３４】
支持部材６５は、ベース６０に固定され、かつベース６０の表面から上方に向かって延びる脚部６６と、脚部６６に固定され、かつ制御盤１０が載置される架台６７とを備えている。脚部６６は、モータケーシング４の上方まで延びており、脚部６６に固定された架台６７はモータケーシング４の上方に配置されている。架台６７は、ベース６０の表面と平行な方向（すなわち、水平方向）に延びており、制御盤１０が載置可能な大きさを有している。本実施形態では、架台６７は、制御盤１０のサイズよりも小さなサイズを有している。
【００３５】
以下、作業者がその視界が制限された環境下においても、制御盤１０の設置作業を容易に行うことができる制御盤構造１００について、説明する。
【００３６】
図４は、制御盤構造１００を示す斜視図である。図４では、制御部９の図示は省略されている。図４に示すように、制御盤構造１００は、制御盤１０と、支持部材６５と、制御盤１０が支持部材６５に支持されたときにおける制御盤１０と支持部材６５との相対位置を決定する位置決め構造１０１とを備えている。
【００３７】
位置決め構造１０１は、制御盤１０の底面部１０ａに形成された制御盤側嵌合部１０２と、架台６７に形成され、かつ制御盤側嵌合部１０２に嵌合する架台側嵌合部１０３とを備えている。図４では、制御盤側嵌合部１０２は一点鎖線で描かれており、架台側嵌合部１０３は網掛けで描かれている。
【００３８】
図１、図２、および図４に示すように、制御盤１０の底面部１０ａに対向して上面部１０ｂが配置されており、上面部１０ｂには、運転パネル１２が設けられた斜面部１０ｃが接続されている。斜面部１０ｃと底面部１０ａとの間には、前面部１０ｄが配置されており、前面部１０ｄに対向して背面部１０ｅである。上述した側面部（第１側面部）１０ｓに対向して第２側面部１０ｆが配置されている。
【００３９】
図５（ａ）は架台６７の平面図であり、図５（ｂ）は底面部１０ａの平面図であり、図５（ｃ）は制御盤１０が架台６７上に載置されたときにおける制御盤１０の底面部１０ａの平面図である。本実施形態では、架台６７および底面部１０ａは正方形である。制御盤１０の底面部１０ａに形成された貫通孔１０５には、締結ねじ１０６が挿入されている。本実施形態では、４つの貫通孔１０５が形成されているが、貫通孔１０５の数は本実施形態には限定されない。貫通孔１０５に挿入された締結ねじ１０６は制御盤１０の底面部１０ａから下方に延びている。なお、図４では、締結ねじ１０６の図示は省略されている。
【００４０】
図５（ａ）に示すように、架台６７には、締結ねじ１０６が挿入される挿入孔１０７が形成されている。本実施形態では、４つの挿入孔１０７が形成されているが、挿入孔１０７の数は本実施形態には限定されない。
【００４１】
図５（ａ）乃至図５（ｃ）に示す実施形態では、制御盤側嵌合部１０２は、底面部１０ａを上から見たとき、Ｌ字形状を有している。制御盤側嵌合部１０２は、配線孔１１０の配列方向に沿って延びており、その途中で配線孔１１０に近接する方向に折れ曲がっている。架台側嵌合部１０３は、架台６７を上から見たとき、Ｌ字形状を有している。制御盤側嵌合部１０２および架台側嵌合部１０３は、互いに対応する形状を有しており、互いに嵌合可能である。
【００４２】
架台側嵌合部１０３は、複数の挿入孔１０７の少なくとも１つに隣接して配置されており、架台側嵌合部１０３の一部は、架台６７の外縁６７ａに接続されている。本実施形態では、架台側嵌合部１０３は、４つの挿入孔１０７のうちの３つに隣接している。制御盤側嵌合部１０２は、複数の貫通孔１０５（および複数の締結ねじ１０６）の少なくとも１つに隣接して配置されている。本実施形態では、制御盤側嵌合部１０２は、４つの貫通孔１０５（および４つの締結ねじ１０６）のうちの３つに隣接している。
【００４３】
図５（ｂ）および図５（ｃ）に示すように、配線孔１１０が形成されている。この配線孔１１０は、制御盤１０内に配置された電気機器と外部の機器とを電気的に接続するための電気ケーブル（図示しない）が貫通する貫通孔である。配線孔１１０は、制御盤１０が架台６７上に載置されたとき、架台６７の外縁６７ａに隣接するように配置される。したがって、配線孔１１０を貫通する電気ケーブルによって、制御盤１０の架台６７上への載置は阻害されない。なお、本実施形態では、３つの配線孔１１０が形成されているが、配線孔１１０の数は本実施形態には限定されない。
【００４４】
従来では、制御盤の配置を変更する場合、制御盤内の電気機器に接続された電気ケーブルを取り外す必要があった。本実施形態によれば、配線孔１１０は、制御盤１０が架台６７上に載置されたとき、架台６７の外側に位置する。したがって、作業者は、電気ケーブルを取り外すことなく、電気ケーブルが配線孔１１０に挿入された状態で、制御盤１０の配置を変更することができる。
【００４５】
図６（ａ）は図５（ａ）のＡ−Ａ線断面図であり、図６（ｂ）は図５（ｂ）のＢ−Ｂ線断面図であり、図６（ｃ）は図５（ｃ）のＣ−Ｃ線断面図である。図６（ａ）に示すように、架台側嵌合部１０３は架台６７の表面６７ｂから上方に向かって延びる突出部（凸部）である。架台６７の表面６７ｂおよび架台側嵌合部１０３は、制御盤１０が載置される載置面を構成している。
【００４６】
図６（ｂ）に示すように、制御盤側嵌合部１０２は底面部１０ａの下面１０ｇに形成された窪み部（凹部）である。図６（ｃ）に示すように、制御盤１０は、突出部としての架台側嵌合部１０３が窪み部としての制御盤側嵌合部１０２に嵌まり込むように、架台６７上に載置される。架台６７の載置面の面積は、制御盤１０の底面部１０ａの下面１０ｇの面積よりも小さい。
【００４７】
制御盤側嵌合部１０２および架台側嵌合部１０３が互いに嵌合したとき、貫通孔１０５および挿入孔１０７は互いに連通する。この状態で、締結ねじ１０６を貫通孔１０５および挿入孔１０７に挿入し、ナット１０８を締め付けることにより、制御盤１０および架台６７は互いに締結される。締結ねじ１０６とナット１０８との組み合わせは締結具である。
【００４８】
本実施形態によれば、作業者は、制御盤側嵌合部１０２および架台側嵌合部１０３を互いに嵌合させる簡単な方法により、貫通孔１０５および挿入孔１０７を互いに連通させることができる。このような位置決め構造１０１を設けることにより、作業者は、その視界が制限された環境下において、貫通孔１０５および挿入孔１０７の位置を確認しながら貫通孔１０５および挿入孔１０７を互いに連通させる必要はない。したがって、作業者は、制御盤１０の設置作業を容易に行うことができ、結果として、制御盤１０の設置作業の効率化を図ることができる。
【００４９】
本実施形態によれば、貫通孔１０５および挿入孔１０７を互いに連通させるために、作業者は、制御盤１０の底面部１０ａと架台６７とを接触させた状態で制御盤１０を必要以上に移動させる必要はない。したがって、制御盤１０と架台６７との摺接に起因する架台６７および／または制御盤１０の錆の発生を防止することができる。
【００５０】
上述した実施形態では、制御盤側嵌合部１０２は窪み部であり、架台側嵌合部１０３は突出部である。一実施形態では、制御盤側嵌合部１０２は突出部であり、架台側嵌合部１０３は窪み部であってもよい。
【００５１】
図７（ａ）は架台側嵌合部１０３の他の実施形態を示す図であり、図７（ｂ）は制御盤側嵌合部１０２の他の実施形態を示す図であり、図７（ｃ）は図７（ａ）に示す架台側嵌合部１０３と図７（ｂ）に示す制御盤側嵌合部１０２との重ね合わせを示す図である。特に説明しない本実施形態の構成は、上述した実施形態と同じであるので、その重複する説明を省略する。
【００５２】
図７（ａ）に示すように、架台側嵌合部１０３は、その全部が架台６７の外縁６７ａから離間したＬ字形状を有してもよい。図７（ｂ）に示すように、制御盤側嵌合部１０２は図７（ａ）に示す架台側嵌合部１０３に対応する形状を有しており、架台側嵌合部１０３は制御盤側嵌合部１０２に嵌合可能である。制御盤側嵌合部１０２は、配線孔１１０の配列方向に沿って延びており、その途中で配線孔１１０に向かって折れ曲がっている。
【００５３】
図８（ａ）は架台側嵌合部１０３のさらに他の実施形態を示す図であり、図８（ｂ）は制御盤側嵌合部１０２のさらに他の実施形態を示す図であり、図８（ｃ）は図８（ａ）に示す架台側嵌合部１０３と図８（ｂ）に示す制御盤側嵌合部１０２との重ね合わせを示す図である。特に説明しない本実施形態の構成は、上述した実施形態と同じであるので、その重複する説明を省略する。
【００５４】
制御盤側嵌合部１０２は、配線孔１１０の配列方向に沿って延びており、その途中で配線孔１１０から離間する方向に折れ曲がったＬ字形状を有している。架台側嵌合部１０３は、制御盤側嵌合部１０２の形状に対応する形状を有している。架台側嵌合部１０３は、その全部が架台６７の外縁６７ａから離間したＬ字形状を有している。
【００５５】
図９（ａ）は架台側嵌合部１０３のさらに他の実施形態を示す図であり、図９（ｂ）は制御盤側嵌合部１０２のさらに他の実施形態を示す図であり、図９（ｃ）は図９（ａ）に示す架台側嵌合部１０３と図９（ｂ）に示す制御盤側嵌合部１０２との重ね合わせを示す図である。特に説明しない本実施形態の構成は、上述した実施形態と同じであるので、その重複する説明を省略する。
【００５６】
制御盤側嵌合部１０２は、十字形状を有しており、４つの貫通孔１０５に囲まれるように配置されている。同様に、架台側嵌合部１０３は、十字形状を有しており、４つの挿入孔１０７に囲まれるように配置されている。
【００５７】
図１０（ａ）は架台側嵌合部１０３のさらに他の実施形態を示す図であり、図１０（ｂ）は制御盤側嵌合部１０２のさらに他の実施形態を示す図であり、図１０（ｃ）は図１０（ａ）に示す架台側嵌合部１０３と図１０（ｂ）に示す制御盤側嵌合部１０２との重ね合わせを示す図である。特に説明しない本実施形態の構成は、上述した実施形態と同じであるので、その重複する説明を省略する。
【００５８】
制御盤側嵌合部１０２は４つの貫通孔１０５を囲む四角形状を有している。同様に、架台側嵌合部１０３は４つの挿入孔１０７を囲む四角形状を有している。架台側嵌合部１０３は架台６７の外縁６７ａから離間しており、制御盤側嵌合部１０２は、架台側嵌合部１０３の形状に対応する形状を有している。
【００５９】
図１１（ａ）は架台側嵌合部１０３のさらに他の実施形態を示す図であり、図１１（ｂ）は制御盤側嵌合部１０２のさらに他の実施形態を示す図であり、図１１（ｃ）は図１１（ａ）に示す架台側嵌合部１０３と図１１（ｂ）に示す制御盤側嵌合部１０２との重ね合わせを示す図である。特に説明しない本実施形態の構成は、上述した実施形態と同じであるので、その重複する説明を省略する。
【００６０】
制御盤側嵌合部１０２は、４つの貫通孔１０５を囲む４つの円形リングから構成されている。各円形リングは、各貫通孔１０５と同心状に配置されている。制御盤側嵌合部１０２は、架台側嵌合部１０３の形状に対応する形状を有している。
【００６１】
図１２（ａ）は架台側嵌合部１０３のさらに他の実施形態を示す図であり、図１２（ｂ）は制御盤側嵌合部１０２のさらに他の実施形態を示す図であり、図１２（ｃ）は図１２（ａ）に示す架台側嵌合部１０３と図１２（ｂ）に示す制御盤側嵌合部１０２との重ね合わせを示す図である。特に説明しない本実施形態の構成は、上述した実施形態と同じであるので、その重複する説明を省略する。
【００６２】
制御盤側嵌合部１０２は４つの貫通孔１０５を囲む四角形状を有している。同様に、架台側嵌合部１０３は４つの挿入孔１０７を囲む四角形状を有している。架台側嵌合部１０３は架台６７の外縁６７ａに接続されており、制御盤側嵌合部１０２は、架台側嵌合部１０３の形状に対応する形状を有している。
【００６３】
図１３（ａ）は架台側嵌合部１０３のさらに他の実施形態を示す図であり、図１３（ｂ）は制御盤側嵌合部１０２のさらに他の実施形態を示す図であり、図１３（ｃ）は図１３（ａ）に示す架台側嵌合部１０３と図１３（ｂ）に示す制御盤側嵌合部１０２との重ね合わせを示す図である。特に説明しない本実施形態の構成は、上述した実施形態と同じであるので、その重複する説明を省略する。
【００６４】
架台側嵌合部１０３は、４つの挿入孔１０７に隣接するように配置された４つのＬ字突起から構成されている。各Ｌ字突起は、その折れ曲がり部が架台６７の中心ＣＴ１を向くように配置されている。４つのＬ字突起は４つの挿入孔１０７に取り囲まれている。制御盤側嵌合部１０２は、架台側嵌合部１０３の形状に対応する形状を有している。
【００６５】
図１４（ａ）は架台側嵌合部１０３のさらに他の実施形態を示す図であり、図１４（ｂ）は制御盤側嵌合部１０２のさらに他の実施形態を示す図であり、図１４（ｃ）は図１４（ａ）に示す架台側嵌合部１０３と図１４（ｂ）に示す制御盤側嵌合部１０２との重ね合わせを示す図である。特に説明しない本実施形態の構成は、上述した実施形態と同じであるので、その重複する説明を省略する。
【００６６】
制御盤側嵌合部１０２は、４つの貫通孔１０５を囲む４つの三角リングから構成されている。各三角リングは、各貫通孔１０５と同心状に配置されている。互いに隣接する三角リングは、一方の三角リングの頂点と他方の三角リングの頂点とが互いに接続されるように同一方向を向いている。架台側嵌合部１０３は、制御盤側嵌合部１０２の形状に対応する形状を有している。図１４（ａ）では、架台側嵌合部１０３は黒色の太い実線で描かれており、図１４（ｂ）では、制御盤側嵌合部１０２は黒色の太い一点鎖線で描かれている。
【００６７】
図１５（ａ）は架台側嵌合部１０３のさらに他の実施形態を示す図であり、図１５（ｂ）は制御盤側嵌合部１０２のさらに他の実施形態を示す図であり、図１５（ｃ）は図１５（ａ）に示す架台側嵌合部１０３と図１５（ｂ）に示す制御盤側嵌合部１０２との重ね合わせを示す図である。特に説明しない本実施形態の構成は、上述した実施形態と同じであるので、その重複する説明を省略する。
【００６８】
架台側嵌合部１０３は、４つの挿入孔１０７に隣接するように配置された４つのＬ字突起から構成されている。各Ｌ字突起は、その折れ曲がり部が架台６７の角部分を向くように配置されている。４つのＬ字突起は４つの挿入孔１０７を取り囲んでいる。架台側嵌合部１０３は、４つのＬ字突起によって分断された四角形状を有している。制御盤側嵌合部１０２は、架台側嵌合部１０３の形状に対応する形状を有している。
【００６９】
図１６（ａ）は架台側嵌合部１０３のさらに他の実施形態を示す図であり、図１６（ｂ）は制御盤側嵌合部１０２のさらに他の実施形態を示す図であり、図１６（ｃ）は図１６（ａ）に示す架台側嵌合部１０３と図１６（ｂ）に示す制御盤側嵌合部１０２との重ね合わせを示す図である。特に説明しない本実施形態の構成は、上述した実施形態と同じであるので、その重複する説明を省略する。
【００７０】
制御盤側嵌合部１０２は、４つの貫通孔１０５を囲む４つの三角リングから構成されている。各三角リングは、各貫通孔１０５と同心状に配置されている。互いに隣接する三角リングは、一方の三角リングの頂点と他方の三角リングの頂点とが互いに接続されるように、同一方向を向いている。架台側嵌合部１０３は、制御盤側嵌合部１０２の形状に対応する形状を有している。図１６（ａ）では、架台側嵌合部１０３は黒色の太い実線で描かれており、図１６（ｂ）では、制御盤側嵌合部１０２は黒色の太い一点鎖線で描かれている。
【００７１】
図１７（ａ）は架台側嵌合部１０３のさらに他の実施形態を示す図であり、図１７（ｂ）は制御盤側嵌合部１０２のさらに他の実施形態を示す図であり、図１７（ｃ）は図１７（ａ）に示す架台側嵌合部１０３と図１７（ｂ）に示す制御盤側嵌合部１０２との重ね合わせを示す図である。特に説明しない本実施形態の構成は、上述した実施形態と同じであるので、その重複する説明を省略する。
【００７２】
架台側嵌合部１０３は、その両端部が架台６７の外縁６７ａに接続されたＬ字形状を有している。制御盤側嵌合部１０２は、架台側嵌合部１０３の形状に対応する形状を有している。より具体的には、制御盤側嵌合部１０２は、配線孔１１０の配列方向に沿って延びており、その途中で配線孔１１０から離間する方向に折れ曲がったＬ字形状を有している。
【００７３】
図１８（ａ）は架台側嵌合部１０３のさらに他の実施形態を示す図であり、図１８（ｂ）は制御盤側嵌合部１０２のさらに他の実施形態を示す図であり、図１８（ｃ）は図１８（ａ）に示す架台側嵌合部１０３と図１８（ｂ）に示す制御盤側嵌合部１０２との重ね合わせを示す図である。特に説明しない本実施形態の構成は、上述した実施形態と同じであるので、その重複する説明を省略する。
【００７４】
架台側嵌合部１０３は、その両端部が架台６７の外縁６７ａに接続されたＬ字形状を有している。制御盤側嵌合部１０２は、架台側嵌合部１０３の形状に対応する形状を有している。より具体的には、制御盤側嵌合部１０２は、配線孔１１０の配列方向に沿って延びており、その途中で配線孔１１０に近接する方向に折れ曲がったＬ字形状を有している。
【００７５】
図９、図１０、図１１、図１２、図１３、および図１５に示す実施形態で説明した架台側嵌合部１０３は、架台６７の中心ＣＴ１を対称軸とする回転対称な形状を有している。同様に、図９、図１０、図１１、図１２、図１３、および図１５に示す実施形態で説明した制御盤側嵌合部１０２は、制御盤１０の底面部１０ａの中心ＣＴ２を対称軸とする回転対称な形状を有している。中心ＣＴ１は、４つの挿入孔１０７のうちの２つの挿入孔１０７を結ぶ対角線と、残りの２つの挿入孔１０７を結ぶ対角線との交点に相当する。同様に、中心ＣＴ２は、４つの貫通孔１０５のうちの２つの貫通孔１０５を結ぶ対角線と、残りの２つの貫通孔１０５を結ぶ対角線との交点に相当する。架台側嵌合部１０３は、制御盤１０が架台６７上に載置されたとき、制御盤１０の底面部１０ａの中心ＣＴ２を通る中心線（鉛直線）ＣＴＬ（図６（ｂ）および図６（ｃ）参照）に対して回転対称な形状を有している。
【００７６】
図９、図１０、図１１、図１２、図１３、および図１５に示す実施形態では、運転パネル１２の転換方向は４方向である。しかしながら、孔１０５，１０７の条件（数および配置）および嵌合部１０２，１０３の条件（形状）に応じて、運転パネル１２の転換方向の数は任意に決定することができる。一実施形態では、設計者は、隣接する挿入孔１０７の中心点同士を仮想線で結び、結ばれた仮想線によって形成される図形が正ｎ角形となるように、挿入孔１０７の数および配置を決定する。貫通孔１０５の数および配置についても同様である。このようにして決定された孔１０５，１０７を採用することにより、運転パネル１２の転換方向はｎ方向である。設計者は、嵌合部１０２，１０３の形状が上記図形と同一になるように、嵌合部１０２，１０３の形状を決定してもよい。
【００７７】
上述したように、給水装置１は、建物の壁沿い、地下空間、または受水槽の下や横の空間などの設置状況下で用いられることがある。したがって、作業者による給水装置１の操作性の観点から、運転パネル１２の向きを現場で変更するというニーズは存在する。図９、図１０、図１１、図１２、図１３、および図１５に示す実施形態では、作業者は、運転パネル１２の向きが変わるように、中心ＣＴ２の周りに制御盤１０の配置を変更することができる。したがって、作業者は、給水装置１の設置環境に応じて、運転パネル１２の向きを変更することができ、結果として、給水装置１の操作性を向上することができる。
【００７８】
図１９は、給水装置１の他の実施形態を示す平面図である。図２０は、図１９に示す給水装置１を示す正面図である。特に説明しない本実施形態の構成は、上述した実施形態と同じであるので、その重複する説明を省略する。
【００７９】
上述した実施形態では、単一のポンプ２および単一の電動機組立体３０を備える給水装置１について説明したが、図１９および図２０に示す実施形態では、給水装置１は、複数台（本実施形態では、２台）のポンプ２Ａ，２Ｂと、複数台（本実施形態では、２台）の電動機組立体３０Ａ，３０Ｂとを備えている。ポンプおよび電動機組立体の数は本実施形態には限定されない。
【００８０】
互いに隣接するように並列に配置された２つのポンプ２Ａ，２Ｂには、２つの吐出し配管２３Ａ，２３Ｂがそれぞれ並列に接続されており、これら２つの吐出し配管２３Ａ，２３Ｂには、単一の集合配管２４が連結されている。互いに隣接する２台の電動機組立体３０Ａ，３０Ｂは並列に配置されており、２つの軸線ＣＬは平行である。
【００８１】
本明細書において、吐出し配管２３Ａ，２３Ｂを区別せずに単に吐出し配管２３と呼ぶことがあり、ポンプ２Ａ，２Ｂを区別せずに単にポンプ２と呼ぶことがある。図１９では、圧力タンク９０は模式的に描かれているが、圧力タンク９０は吐出し配管２３または集合配管２４に接続されている。
【００８２】
図２０に示すように、脚部６６は互いに隣接するモータケーシング４，４の間に配置されている。本実施形態では、給水装置１は、ポンプ２Ａ，２Ｂの吐出圧力を保持する圧力タンク９０をさらに備えている。
【００８３】
圧力タンク９０は、耐圧容器内にゴム製のブラダが内蔵されており、ポンプ２の吐出圧力が上昇すると、ブラダの外側の空気を圧縮し、水が加圧状態で貯留される。また、吐出し配管２３内の圧力が低下するにつれて、圧縮された空気が膨張し、貯留された水を吐出し配管２３に押し出す。このようにして、ポンプ２Ａ，２Ｂが停止しても、しばらくは圧力タンク９０から吐出し配管２３に水が供給される。
【００８４】
本実施形態では、圧力タンク９０は架台６７上に載置されている。架台６７は、ベース６０の幅方向に延びる幅広形状を有しており、モータケーシング４，４の両方の上方に配置されている。ここで、ベース６０の幅方向はベース６０の長手方向と垂直な方向と定義される。ベース６０の長手方向は、駆動軸１１の軸線ＣＬ方向と平行な方向と定義される。このような幅広形状を有する架台６７は圧力タンク９０および制御盤１０の両方を支持することができる。このように、支持部材６５は制御盤１０のみならず圧力タンク９０をもモータケーシング４の上方に配置することができるため、制御盤１０および圧力タンク９０を載置するスペースをベース６０上に設ける必要はない。
【００８５】
図２１は、位置決め構造１０１の他の実施形態を示す図である。特に説明しない本実施形態の構成は、上述した実施形態と同じであるので、その重複する説明を省略する。
【００８６】
図２１に示すように、支持部材６５は、架台６７と垂直に延びる仕切り板１１５をさらに備えている。本実施形態では、仕切り板１１５の高さは、制御盤１０の高さと同じか、または制御盤１０の高さよりも低い。図２１に示す実施形態では、仕切り板１１５の幅方向の長さは、架台６７の幅方向の長さと同一であるが、架台６７の幅方向の長さよりも小さくてもよい。なお、架台６７の幅方向はベース６０の長手方向と同一であり、ベース６０の幅方向は架台６７の長手方向と同一である。
【００８７】
架台６７には８つの挿入孔１０７が形成されている。４つの挿入孔１０７は仕切り板１１５の一方の側に配置されており、４つの挿入孔１０７は仕切り板１１５の他方の側に配置されている。このような配置により、制御盤１０を仕切り板１１５の両側のいずれか一方に配置することができる。
【００８８】
本実施形態では、架台６７上には、制御盤１０および圧力タンク９０が載置されており、仕切り板１１５は制御盤１０と圧力タンク９０との間に配置されている。万が一、圧力タンク９０から液体が漏洩した場合、仕切り板１１５は、漏洩した液体が制御盤１０に接触することを防止する役割を果たす。
【００８９】
位置決め構造１０１は、制御盤１０に形成された制御盤側位置合わせ部１２０と、仕切り板１１５に形成された仕切り板側位置合わせ部１２１とを備えている。図２１に示す実施形態では、制御盤側位置合わせ部１２０および仕切り板側位置合わせ部１２１は、いずれも、シールなどの目印である。
【００９０】
図２１に示すように、制御盤側位置合わせ部１２０は、制御盤１０の上面部１０ｂに配置された３つの目印１２０ａ，１２０ｂ，１２０ｃである。目印１２０ａは、背面部１０ｅに隣接しており、目印１２０ｂは側面部１０ｓに隣接しており、目印１２０ｃは側面部１０ｆに隣接している。一実施形態では、制御盤側位置合わせ部１２０は、少なくとも１つの目印であってもよい。
【００９１】
図２２は、制御盤側位置合わせ部１２０の他の実施形態を示す図である。図２２に示すように、目印１２０ａは、上面部１０ｂのみならず、背面部１０ｅまで延びてもよい。目印１２０ｂは、上面部１０ｂのみならず、側面部１０ｓまで延びてもよい。目印１２０ｃは、上面部１０ｂのみならず、側面部１０ｆまで延びてもよい。
【００９２】
仕切り板側位置合わせ部１２１は、仕切り板１１５の一方の面１１５ａに配置されている。より具体的には、仕切り板側位置合わせ部１２１は、仕切り板１１５の上部（本実施形態では、最上部）に配置されている。図示しないが、仕切り板側位置合わせ部１２１は、仕切り板１１５の一方の面１１５ａのみならず、他方の面１１５ｂまで延びてもよい。
【００９３】
制御盤側位置合わせ部１２０（より具体的には、目印１２０ａ，１２０ｂ，１２０ｃのうちの１つ）および仕切り板側位置合わせ部１２１の位置合わせをすることにより、貫通孔１０５および挿入孔１０７は互いに連通する。この状態で、締結ねじ１０６を貫通孔１０５および挿入孔１０７に挿入し、ナット１０８（図６（ｃ）参照）を締め付けることにより、制御盤１０および架台６７は互いに締結される。
【００９４】
本実施形態によれば、作業者は、制御盤側位置合わせ部１２０および仕切り板側位置合わせ部１２１の位置合わせをする簡単な方法により、貫通孔１０５および挿入孔１０７を互いに連通させることができる。さらに、制御盤側位置合わせ部１２０は制御盤１０の上面部１０ｂに配置されており、仕切り板側位置合わせ部１２１は仕切り板１１５の上部（本実施形態では、最上部）に配置されている。したがって、作業者は、制御盤側位置合わせ部１２０および仕切り板側位置合わせ部１２１の位置を確認しながら、制御盤１０の設置作業を容易に行うことができる。結果として、制御盤１０の設置作業の効率化を図ることができる。
【００９５】
図２３は、仕切り板１１５の他の実施形態を示す図である。図２３に示すように、仕切り板１１５は、その下部に配置された連通孔１２５を備えている。本実施形態では、３つの連通孔１２５が形成されているが、連通孔１２５の数は本実施形態には限定されない。少なくとも１つの連通孔１２５が形成されてもよい。
【００９６】
連通孔１２５は、仕切り板１１５の下部に形成されており、架台６７の幅方向に沿って配列されている。制御盤１０の前面部１０ｄ、背面部１０ｅ、側面部１０ｓ、および側面部１０ｆの少なくとも１つに連通孔１２５と連通可能な孔（図示しない）を形成し、この孔と連通孔１２５とを連通させる。この状態で、締結用のねじ（図示しない）を孔および連通孔１２５に挿入し、制御盤１０と仕切り板１１５とを締結する。このように、制御盤１０と架台６７とを締結し、かつ制御盤１０と仕切り板１１５とを締結することにより、給水装置１の運転に起因する振動によって、制御盤１０が支持部材６５からずれることを確実に防止することができる。
【００９７】
連通孔１２５は、通気口としての機能を有してもよい。上述したように、圧力タンク９０の内部には、水が加圧状態で貯留される。圧力タンク９０および制御盤１０が架台６７上に載置される場合、圧力タンク９０に接触して冷却された空気は、連通孔１２５を通過して、制御盤１０に接触する。結果として、制御盤１０は、冷却された空気によって冷却される。
【００９８】
このように、連通孔１２５は、締結用の孔として機能することができ、通気口としても機能することができる。２つの連通孔１２５を仕切り板１１５に形成した場合、一方の連通孔１２５は締結用の孔であってもよく、他方の連通孔１２５は通気口であってもよい。
【００９９】
図２４は、制御盤側位置合わせ部１２０および仕切り板側位置合わせ部１２１の他の実施形態を示す図である。図２４に示すように、制御盤側位置合わせ部１２０は、制御盤１０の背面部１０ｅに設けられた嵌合凸部１２０ｄと、側面部１０ｓに設けられた嵌合凸部１２０ｅと、側面部１０ｆに設けられた嵌合凸部１２０ｆとを備えている。これら嵌合凸部１２０ｄ，１２０ｅ，１２０ｆは制御盤１０の上面部１０ｂに接続されている。
【０１００】
仕切り板側位置合わせ部１２１は、嵌合凸部１２０ｄ，１２０ｅ，１２０ｆのいずれもが嵌合可能な大きさを有する嵌合凹部である。本実施形態では、仕切り板側位置合わせ部１２１は、仕切り板１１５の上端から架台６７に向かって延びる切り欠きである。
【０１０１】
図４乃至図１８に示す実施形態と図１９乃至図２４に示す実施形態とは組み合わせてもよい。つまり、位置決め構造１０１は、制御盤側嵌合部１０２および架台側嵌合部１０３と、制御盤側位置合わせ部１２０および仕切り板側位置合わせ部１２１とを備えてもよい。
【０１０２】
図２５は、図１９および図２０に示す実施形態に係る架台６７に設けられた架台側嵌合部１０３の一例を示す図である。図２６は、図１９および図２０に示す実施形態に係る架台６７に設けられた架台側嵌合部１０３の他の例を示す図である。
【０１０３】
図２５および図２６に示すように、仕切り板１１５の両側には、２つの架台側嵌合部１０３が配置されている。図２５に示す実施形態では、仕切り板１１５の両側の２つの架台側嵌合部１０３は、同一方向を向いて配置されている。図２６に示す実施形態では、仕切り板１１５の両側の２つの架台側嵌合部１０３は、仕切り板１１５に関して対称的に配置されている。
【０１０４】
図２５および図２６では、２つの架台側嵌合部１０３のうちの１つは、図１６に示す実施形態で説明した架台側嵌合部１０３と同一の形状を有しているが、架台側嵌合部１０３の形状は図２５および図２６に示す実施形態には限定されない。図５乃至図１８に示す実施形態で説明した架台側嵌合部１０３が採用されてもよい。
【０１０５】
図２５および図２６に示すように、架台６７が幅広形状を有している場合、図９、図１０、図１１、図１２、図１３、および図１５に示す架台側嵌合部１０３は、４つの挿入孔１０７のうちの２つの挿入孔１０７を結ぶ対角線と、残りの２つの挿入孔１０７を結ぶ対角線との交点を対称軸とする回転対称な形状を有している。架台側嵌合部１０３は、制御盤１０が架台６７上に載置されたとき、制御盤１０の底面部１０ａの中心ＣＴ２を通る中心線（鉛直線）ＣＴＬ（図６（ｂ）および図６（ｃ）参照）に対して回転対称な形状を有している。
【０１０６】
本実施形態においても、孔１０５，１０７の条件（数および配置）および嵌合部１０２，１０３の条件（形状）に応じて、運転パネル１２の転換方向の数は任意に決定することができる。孔１０５，１０７の条件の決定方法は上述した決定方法と同じであるので、詳細な説明を省略する。
【０１０７】
運転パネル１２の転換方向をｎ方向とするための条件として、以下の条件を採用することができる。架台６７が幅広形状を有している場合、架台６７の大きさは制御盤１０の大きさと同一または制御盤１０の大きさよりも大きく（架台６７≧制御盤１０）、かつ配線孔１１０は制御盤１０の壁面（前面部１０ｄ、背面部１０ｅ、側面部１０ｓ、または側面部１０ｆ）に設けられる。
【０１０８】
これまで本発明の実施形態について説明したが、本発明は上述の実施形態に限定されず、その技術思想の範囲内において、種々の異なる形態で実施されてよいことは勿論である。
【符号の説明】
【０１０９】
１      給水装置
２      ポンプ
３      モータ
４      モータケーシング
５      インバータ
６      インバータケーシング
９      制御部
１０      制御盤
１０ａ    底面部
１０ｂ    上面部
１０ｃ    斜面部
１０ｄ    前面部
１０ｅ    背面部
１０ｓ    側面部
１０ｆ    側面部
１１      駆動軸
１２      運転パネル
１５      取り付け構造（取り付け部材）
２０      羽根車
２１      ポンプケーシング
２１ａ    吸込口
２１ｂ    吐出口
２２      吸込み配管
２３      吐出し配管
３０      電動機組立体
３１      回転子
３２      固定子
３２ａ    ステータコア
３２ｂ    巻線
４０      モータフレーム
４０ａ    取り付け孔
４１      貫通孔
４２      エンドカバー
４３      モータ側板
４３ａ    貫通孔
４４      軸受支持部
４５      軸受
４６      軸受支持部
４７      軸受
５０      インバータフレーム
５１      カバー部材
５１ａ    貫通孔
６０      ベース
６１      ポンプ台
６２      モータ台
６５      支持部材
６６      脚部
６７      架台
６７ａ    外縁
９０      圧力タンク
１００    制御盤構造
１０１    位置決め構造
１０２    制御盤側嵌合部
１０３    架台側嵌合部
１０５    貫通孔
１０６    締結ねじ
１０７    挿入孔
１０８    ナット
１１０    配線孔
１１５    仕切り板
１１５ａ  一方の面
１１５ｂ  他方の面
１２０    制御盤側位置合わせ部
１２０ａ，１２０ｂ，１２０ｃ      目印
１２１    仕切り板側位置合わせ部
１２５    連通孔
【図１】
2020061876.tif 000003
【図２】
2020061876.tif 000004
【図３】
2020061876.tif 000005
【図４】
2020061876.tif 000006
【図５】
2020061876.tif 000007
【図６】
2020061876.tif 000008
【図７】
2020061876.tif 000009
【図８】
2020061876.tif 000010
【図９】
2020061876.tif 000011
【図１０】
2020061876.tif 000012
【図１１】
2020061876.tif 000013
【図１２】
2020061876.tif 000014
【図１３】
2020061876.tif 000015
【図１４】
2020061876.tif 000016
【図１５】
2020061876.tif 000017
【図１６】
2020061876.tif 000018
【図１７】
2020061876.tif 000019
【図１８】
2020061876.tif 000020
【図１９】
2020061876.tif 000021
【図２０】
2020061876.tif 000022
【図２１】
2020061876.tif 000023
【図２２】
2020061876.tif 000024
【図２３】
2020061876.tif 000025
【図２４】
2020061876.tif 000026
【図２５】
2020061876.tif 000027
【図２６】
2020061876.tif 000028